(57)【特許請求の範囲】
【請求項１】
ＦＰＣを敷設して備えた電気機器のうち前記ＦＰＣの敷設面に支持片を突出形成すると共に、前記支持片に対応させて前記ＦＰＣに短冊状の端末片を形成し、前記端末片を前記支持片の表裏に折り返してその端末片の先端側を前記支持片の一方の面に固定してなるコネクタ部の構造において、
前記支持片に一体に設けられて、前記支持片の側部から立ち上がって前記支持片の幅方向に沿って延び、前記支持片との間で前記端末片の基端部を保持可能なホルダ部を備えたことを特徴とする電気機器のコネクタ部の構造。
【請求項２】
請求項１に記載のものにおいて、前記ホルダ部が、前記支持片の一側部から立ち上がると共に前記支持片の幅方向に沿って片持ち梁状に延び、そのホルダ部の先端と前記支持片との間が、前記端末片を側方から差し込むための差し込み口となっていることを特徴とする電気機器のコネクタ部の構造。
【請求項３】
請求項１又は請求項２記載のものにおいて、前記ホルダ部と前記支持片との間が前記端末片の厚さ寸法より接近しており、前記ホルダ部が弾性変形して前記端末片を前記支持片との間に挟持可能な構成としたことを特徴とする電気機器のコネクタ部の構造。
【請求項４】
請求項１ないし請求項３のいずれかに記載のものにおいて、前記支持片の側方を取り囲むように電気機器に一体に設けられて、相手コネクタの外側に嵌合可能なフード部を備えたことを特徴とする電気機器のコネクタ部の構造。
【発明の詳細な説明】
【０００１】
【発明の属する技術分野】
本発明は、電気機器のコネクタ部の構造に関する。
【０００２】
【従来の技術】
従来、コネクタ部の構造として実開平３−６６１８１号公報に掲載されたものが知られている。このコネクタ部１は、図９及び図１０に示されており、その電気機器のケース２の外面に敷設したＦＰＣ３（フレキシブル・プリンテッド・サーキット）から短冊状の端末片４を延ばし、この端末片４をケース２から直立させた突片５の表裏に敷設した構造となっている。そして、この端末片４の立ち上がり部を突片５から離れないように保持するために、別部品のホルダ６をケース２にネジ止めしてある。
【０００３】
【発明が解決しようとする課題】
ところが、上記した従来のコネクタ部１の構造では、ＦＰＣ３を保持するためのホルダ６が別部品となっているから、部品点数及び組み付け工数が多くなり、製作コストが高くなっていた。
【０００４】
本発明は、上記事情に鑑みてなされたもので、製作コストがかからず、かつ、容易に組み付け可能な電気機器のコネクタ部の構造の提供を目的とする。
【０００５】
【課題を解決するための手段】
上記目的を達成するため、請求項１に係る発明は、ＦＰＣを敷設して備えた電気機器のうちＦＰＣの敷設面に支持片を突出形成すると共に、支持片に対応させてＦＰＣに短冊状の端末片を形成し、端末片を支持片の表裏に折り返してその端末片の先端側を支持片の一方の面に固定してなるコネクタ部の構造において、支持片に一体に設けられて、支持片の側部から立ち上がって支持片の幅方向に沿って延び、支持片との間で端末片の基端部を保持可能なホルダ部を備えたところに特徴を有する。
【０００６】
請求項２に係る発明は、請求項１に記載のものにおいて、ホルダ部が、支持片の一側部から立ち上がると共に支持片の幅方向に沿って片持ち梁状に延び、そのホルダ部の先端と支持片との間が、端末片を側方から差し込むための差し込み口となっているところに特徴を有する。
【０００７】
請求項３に係る発明は、請求項１又は請求項２記載のものにおいて、ホルダ部と支持片との間が端末片の厚さ寸法より接近しており、ホルダ部が弾性変形して端末片を支持片との間に挟持可能な構成としたところに特徴を有する。
【０００８】
請求項４に係る発明は、請求項１ないし請求項３のいずれかに記載のものにおいて、支持片の側方を取り囲むように電気機器に一体に設けられて、相手コネクタの外側に嵌合可能なフード部を備えたところに特徴を有する。
【０００９】
【発明の作用及び効果】
請求項１の構成によれば、コネクタ部を組み付けるには、ＦＰＣの端末片の基端部を支持片とホルダ部との間に通し、端末片の先端側を折り返して支持片の一方の面に固定する。すると、端末片は、支持片上でスライド不能となり、かつ、ホルダ部が端末片の基端部を押さえているから、端末部が支持片から浮き上がることもない。このように、端末片をホルダ部と支持片との間に通すだけで端末片の保持が可能だから、従来のようなネジ止め作業を要せず、組み付けが容易となる。しかも、ホルダ部は、支持片と一体に設けられていて、従来より部品点数及び組み付け工数が少なくなるから、製作コストを抑えることができる。
【００１０】
請求項２の構成によれば、ホルダ部が片持ち梁状をなし、支持片との間の隙間が側部に開放された差込み口となっているから、端末片を長手方向の側方から上記隙間に挿入でき、組み付け作業が容易となる。
【００１１】
請求項３の構成によれば、端末片がホルダ部と支持片とに挟持されて両者に密着した状態で保持されるから、端末片の保持がより一層安定する。
【００１２】
請求項４の構成によれば、相手コネクタに嵌合可能なフード部が電気機器に一体に設けられているから、部品点数を増やさずに、相手側のコネクタを安定させることができる。
【００１３】
【発明の実施の形態】
＜第１実施形態＞
本発明の第１実施形態を図１〜図６に基づいて説明する。
図１には、電気機器１０のケース１１の外側面１１Ａが部分的に示されており、その外側面１１ＡにはＦＰＣ２０が敷設されている。ＦＰＣ２０は、可撓性シート２１に導通路２２を配してなり、その導通路２２を配した面を外側に向けてケース１１に取り付けられている。ＦＰＣ２０には、図３に示すように、その縁部から短冊状の端末片２３が延ばされており、端末片２３の長手方向に沿って前記導通路２２が複数並行して延びている。そして、端末片２３は、図１及び図２に示すように後述の支持片１２に表裏に折り返した状態に敷設され、相手コネクタ３０（図２参照）に結合されるコネクタ部１４が構成される。
【００１４】
電気機器１０のケース１１は、例えば、合成樹脂を射出成型して形成されており、ケース１１の外側面１１ＡのうちＦＰＣ２０の上方には、図３に示すように、その外側面１１Ａから直立するように突片状の支持片１２がケース１１に一体成型されると共に、その支持片１２の回りを取り囲むようにフード部１３がケース１１に一体成型されている。
【００１５】
支持片１２は、図３に示すように、端末片２３が敷設される面が上下方向に向いており、その上面１２Ａの基端側には、一対の係止突起４０，４０が上方に向けて突出している。この係止突起４０は、断面丸形をなして先端面が丸みを帯びており、図２に示すように端末片２３の厚さよりも高くなっている。そして、係止突起４０が端末片２３の先端部に形成した一対の係止孔２４，２４に貫通されて、端末片２３が支持片１２上にスライド不能に係止される（図２参照）。
【００１６】
支持片１２の基端部の下面側には、ホルダ部１５が設けられている。ホルダ部１５は、図４に示すように、支持片１２の両側部から下方に垂下した一対の短尺の脚部１６，１６間を、支持片１２の幅方向に延びた差し渡し部１７で繋げた構造をなっている。そして、差し渡し部１７は、図２に示すように、支持片１２との間に隙間１７Ａを備えると共に、外側面１１Ａとの間に隙間１７Ｂを備えており、この両隙間１７Ａ，１７Ｂに前記端末片２３が通される。また、同図に示すように、支持片１２の下面１２Ｂのうち外側面１１Ａからの立ち上がり部分は、なだらかに湾曲して両面に連続した案内面１８となっている。
【００１７】
フード部１３には、図２に示すように、その先端に支持片１２を収めた収容空間１９が開放しており、そこから相手コネクタ３０が嵌入可能となっている。また、フード部１３の下壁４１は、収容空間１９が下方に開放するように大きく切除されており、ここから前記端末片２３が収容空間１９内へと通される。フード部１３の上壁４２には、図１に示すように、相手コネクタ３０に備えたロックアーム３２（図２参照）を収容するための凹所４３が形成され、その凹所４３の奥面には、ロックアーム３２が係止される係止孔４４が貫通形成されている。
【００１８】
一方、相手コネクタ３０は、図２に示すように、コネクタハウジング３３の前面に開放した接続空間３４を備え、その接続空間３４の上面３４Ａには、コネクタハウジング３３に収容された複数の端子金具３１の接触片３５が下方に向けて突出している。
【００１９】
次に、上記構成からなる本実施形態の動作を説明する。
本実施形態のコネクタ部１４は、以下のようにして組み付けられる。まず、ケース１１の外側面１１ＡにＦＰＣ２０を敷設した状態に取り付ける。すると、図３に示すように、端末片２３が外側面１１Ａから垂れた状態となる。そして、端末片２３の先端をホルダ部１５と外側面１１Ａとの間の隙間１７Ｂ（図２参照）に通して、支持片１２の立ち上がり部分の案内面１８に突き当てる。すると、その案内面１８に沿って端末片２３がホルダ部１５と支持片１２との間の隙間１７Ａ内に案内され、その前方へと押し出される（図４参照）。次に、図５に示すように、端末片２３の先端側を折り返して支持片１２の上面１２Ａに押しつけ、端末片２３の係止孔２４に支持片１２の係止突起４０を押し込む。すると、端末片２３は、支持片１２上でスライド不能となり、かつ、ホルダ部１５が端末片２３の基端部を押さえているから、端末片２３が支持片１２から浮き上がらない状態に保持される（図６参照）。
【００２０】
このように、本実施形態のコネクタ部１４の構造によれば、端末片２３をホルダ部１５と支持片１２との間に通すだけで端末片２３の保持が可能だから、従来のようなネジ止め作業を要せず、組み付けが容易である。しかも、ホルダ部１５は、支持片１２と一体に設けられていて、従来より部品点数及び組み付け工数が少なくなるから、製作コストを抑えることができる。
【００２１】
なお、このコネクタ部１４と相手コネクタ３０とを接続するには、相手コネクタ３０をフード部１３の収容空間１９の奥部まで押し込めばよい。すると、相手コネクタ３０の接続空間３３に支持片１２が入り込み、その支持片１２によって接触片３５が弾性変形されて、端末片２３の導通路２２に弾性的に電気接続される。また、相手コネクタ３０が完全に押し込まれたところで、ロックアーム３２とフード部１３の係止孔４１とが係合して相手コネクタ３０が抜け止め状態となる。
【００２２】
＜第２実施形態＞
第２実施形態は、図７に示されており、ホルダ部の構造が前記第１実施形態と異なる。その他の構成については上記第１実施形態と同じであるため、同じ構成については、同一符号を付し、重複する説明は省略する。
【００２３】
本実施形態のホルダ部６５は、支持片１２の一側面から脚片６０を垂下し、その先端から差し渡し部６１が支持片１２の幅方向に沿った方向に片持ち梁状に延びた構造となっている。そして、差し渡し部６１は、中間部分が支持片１２の下面１２Ｂに向かって接近するように湾曲しており、支持片１２との間の隙間６１Ａが支持片１２の幅方向の中間部では端末片２３の厚さよりも狭くなっている。また、隙間６１Ａのうち一方の側部は、端末片２３の厚さよりも広くなって側方に開放された側方開放部６１Ｂとなっている。
【００２４】
コネクタ部１４を組み付ける際に、ホルダ部６５の側方開放部６１Ｂから隙間６１Ａ内に端末片２３をスライドさせて挟み込めばよい。すると、ホルダ部６５の弾性力によって端末片２３がホルダ部６５と支持片１２との間に挟まれて保持される。このように、本実施形態では、端末片２３をその側方にスライドさせて取り付け可能であるから、作業性に優れる。また、端末片２３がホルダ部６５と支持片１２とに挟持されて両者に密着した状態で保持されるから、端末片２３の保持がより一層安定する。
【００２５】
＜第３実施形態＞
第３実施形態は、図８に示されており、ホルダ部の構造が前記第１実施形態と異なる。その他の構成については上記第１実施形態と同じであるため、同じ構成については、同一符号を付し、重複する説明は省略する。
【００２６】
この実施形態のホルダ部６６は、支持片１２の一側面から垂下した脚片６０と、支持片１２の幅方向に延びたが長板上の主体部６７の一端とがヒンジ６８を介して連結された構造をなし、その主体部６７の先端には、支持片１２側に向けてロック片６９が直角に起立している。そして、支持片１２の他方の側部に備えたロック突部７０に前記ロック片６９が係止されると、主体部６７と支持片１２のとの間で端末片２３が保持されるようになっている。
【００２７】
支持片１２に端末片２３を保持させるには、ホルダ部６６の主体部６７を支持片１２から離した位置まで回動させ、端末片２３を支持片１２の下面１２Ｂに敷設してから主体部６７を閉じてロック片６９とロック突部７０とを係止すればよい。
【００２８】
＜他の実施形態＞
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記第１実施形態のコネクタ部１４は、フード部１３を備えていたが、フード部を備えない構成のものであってもよい。
【図面の簡単な説明】
【図１】本発明の実施形態に係るコネクタ部の構造を示す斜視図
【図２】その側断面図
【図３】端末片をホルダ部に取り付ける前の状態を示す上方斜視図
【図４】端末片をホルダ部に取り付けた状態の下方斜視図
【図５】端末片を支持片上に折り返した状態の上方斜視図
【図６】コネクタ部の下方斜視図
【図７】第２実施形態のコネクタ部を示す下方斜視図
【図８】第３実施形態のコネクタ部を示す下方斜視図
【図９】従来の電気機器のコネクタ部を示す斜視図
【図１０】その側断面図
【符号の説明】
１０…電気機器
１１Ａ…外側面（敷設面）
１２…支持片
１３…フード部
１４…コネクタ部
１５，６５，６６…ホルダ部
２０…ＦＰＣ
２３…端末片
３０…相手コネクタ
６１Ｂ…側方開放部（差込み口）
【図１】
0003648960.tif 000002
【図２】
0003648960.tif 000003
【図３】
0003648960.tif 000004
【図４】
0003648960.tif 000005
【図５】
0003648960.tif 000006
【図６】
0003648960.tif 000007
【図７】
0003648960.tif 000008
【図８】
0003648960.tif 000009
【図９】
0003648960.tif 000010
【図１０】
0003648960.tif 000011